(57)【要約】【課題】  媒体の大きさにかかわらず、媒体を把持しやすく、反転集積動作時に抜け落ちることのない溝形状の羽根車を実現するこ。【解決手段】  媒体集積用羽根車形状が、複数個の溝形状からなる溝形状の内外に均一な間隔で極部的な波形の凹凸形状を、媒体を把持する領域のインボリュート曲線内に少なくとも２個以上有する羽根車を具備したことを特徴とする光学的文字読取装置。【選択図】図７
2010155707.tif 000002
【特許請求の範囲】
【請求項１】
媒体集積用羽根車形状が、複数個の溝形状からなる溝形状の内外に均一な間隔で極部的な波形の凹凸形状を、媒体を把持する領域のインボリュート曲線内に少なくとも２個以上有する羽根車を具備したことを特徴とする光学的文字読取装置。
【請求項２】
前記溝形状は、均一な間隔で極部的な波形の凹凸形状の中心線上で、溝形状の内外凹凸の頂点が一致するか、わずかにオーバラップした形状であることを特徴とする請求項１記載の光学的文字読取装置。
【発明の詳細な説明】
【技術分野】
【０００１】
本発明は、帳票移動式光学的文字読取装置（以下、ＯＣＲと称す）に関し、特に媒体を集積する羽根車の形状に関する。
【背景技術】
【０００２】
以下図１乃至図６を用いて従来の帳票移動式ＯＣＲとそれに用いられる媒体集積用の羽根車について説明する。図１は従来の帳票移動式ＯＣＲ装置の概観図である。同図において、１はトップカバー、２はトップ開閉レバー、３は操作パネル、４は電源スイッチ、５はアシストローラ、６は帳票ガイド、７はホッパサブテーブル、８はホッパ、９はナンバリングカバー、１０はスタッカ、１１はスタッカランプ、１２はシートサポート、１３はシートストッパ、１４はスタッカカバー、１５は主電源スイッチカバー、１６はサイドカバーである。
【０００３】
OCR処理を行うときの媒体の流れの概要は、ホッパ８に積載された用紙は１枚ずつ装置内部へと取り込まれる。読取部にて用紙種別、額面等の情報読取りが行われ、搬送路によって順次搬送される。読み取られた情報により必要に応じて、ポケットに振り分けられて集積される。
【０００４】
図２は、従来の帳票移動式ＯＣＲ装置における媒体の流れを示す概略図である。同図において、１７は排出ローラ、１８は吸着ファンと搬送ベルト、１９は羽根車、２０は分岐ゲート、２１はポケットである。媒体が搬送路から振り分けられるポケット２１へ到達した際に、ポケット２１の手前にある分岐ゲート２０が開き、振り分けられるポケット２１に媒体が分類される。媒体はポケット２１の入口に設置されている排出ローラ１７に押し出され、羽根車１９により反転集積される。
【０００５】
このポケット２１はスタッカ１０、排出ローラ１７、吸着ファンと搬送ベルト１８、羽根車１９で構成されている。なお、図３はポケット２１を斜め上方から見た概略構成図である。同図においては、図２と同一部分には同一符号を付している。
【０００６】
本装置は媒体の搬送方向長さの長短に関わらずに同一の羽根車で反転集積ができるようにポケットの天井に吸着ファンと搬送ベルト１８を設置した。搬送方向長さが長く羽根車のみでは巻き取れない媒体でも、吸着ファンが媒体を吸い上げながら搬送ベルトが媒体を送るために、反転集積が可能になる。
【０００７】
図４は、従来の帳票移動式ＯＣＲ装置に用いられる集積用羽根車１９（図２）の形状を示す平面図である。羽根車１９には反転させた媒体（図示せず）を溝１９ａからかきとるための抜き取り板２２（図２）を取り付けている。また、羽根車１９の溝形状はインボリュート曲線となるように形成されている。この溝１９ａは、媒体が入り易いが抜け易い形状をしている。
【０００８】
図５は、従来の集積用羽根車での媒体を反転させたときの媒体の理想の動きを示す軌跡を示した図である。媒体２３の理想の動きは、排出ローラ１７により押し出される媒体２３を、羽根車１９が回転をすることにより巻き取り、巻き取られた媒体２３の先端が抜き取り板２２に突き当たることで、回転している羽根車１９から媒体２３が抜き取られる。
【０００９】
図６は、従来の集積用羽根車での短い媒体を反転させたときの軌跡を示す概略図である。すなわち、従来の羽根車１９で搬送方向長さの短い媒体２３を搬送したときの媒体の動きを示す。搬送方向長さが短い媒体の場合、媒体が排出ローラ１７により羽根車１９の奥まで押し出されないため、媒体２３が羽根車１９の溝１９ａの途中で止まってしまう。羽根車１９の溝１９ａの摩擦力が低い場合、羽根車１９が回転すると、媒体２３を把持することが出来ないため媒体２３が溝１９ａから抜けてしまう。
【００１０】
なお、図５、図６において、図２と同一の構成部分には同一の符号を付し、私用さ否説明は省略している。
【発明の開示】
【発明が解決しようとする課題】
【００１１】
このように、従来の帳票移動式ＯＣＲに用いられる羽根車は、溝の形状が媒体が入り易いようにインボリュート曲線を始めとした滑らかな曲線で形成されているため、媒体が入り易いが抜け易いという問題点があった。すなわち、従来の羽根車は、媒体の搬送方向長さが短い場合、媒体が羽根車の溝の先端まで到達する前に、排出ローラで媒体の後端が押されなくなるため、摩擦力が低い樹脂製の羽根車では羽根車の溝が媒体を把持できずに、羽根車が回転して媒体を反転させる際に、媒体が羽根車の溝から抜け落ちてしまう。すなわち、従来の羽根車では、媒体の搬送方向長さが短い場合、排紙部から送り出された媒体が羽根車の溝の途中までしか到達せず、樹脂製の摩擦力が低い羽根車だと、媒体の把持力が弱く、羽根車が回転して媒体を反転させる際に、媒体が抜け落ちてしまう。
【００１２】
そこで、本発明は、従来の羽根車では媒体を反転させる際に媒体が抜け落ちてしまうような搬送方向長さの媒体でも、羽根車の溝内で媒体を把持して、媒体が抜け落ちないような羽根車の形状を提供する。
【課題を解決するための手段】
【００１３】
本発明の光学的文字読取装置は、複数個の溝形状からなる溝形状の内外に均一な間隔で極部的な波形の凹凸形状を、媒体を把持する領域のインボリュート曲線内に少なくとも２個以上有する事により、多点の頂点部分で媒体を極部的に把持することにより、媒体自由度（媒体の大きさや厚さ）に左右されずに把持力を向上した羽根車を有することを特徴とする。
【発明の効果】
【００１４】
本発明によれば、媒体の大きさにかかわらず、媒体を把持しやすく、反転集積動作時に抜け落ちねことのない溝形状の羽根車を実現することができる。
【発明を実施するための最良の形態】
【００１５】
以下、本発明の実施形態につき、図７乃至図９を用いて詳細に説明する。なお、本発明の実施形態であるＯＣＲ装置の構成は図１乃至図６により説明した装置と羽根車を除いてほぼ同じであるため、重複を避けるため詳細な説明は省略し、以下では異なる部分についてのみ説明する。
【００１６】
図７は、本発明のＯＣＲ装置に用いる集積用羽根車の形状を示す平面図である。
【００１７】
この羽根車３１の形状は、媒体（図示せず）が羽根車の溝に侵入しやすいように溝３２の入口は広くなっている。また、羽根車３１の溝３２に侵入した媒体が抜けにくいように複数個の溝形状の内外に均一な間隔で極部的な波形の凹凸３３が形成されている。
【００１８】
図８はこの部分の形状を拡大して示す図である。同図では複数の溝の一つを３２−１で示し、これに隣接する溝を３２−２で示している。図示のように、溝３２−１には、媒体を把持する領域のインボリュート曲線内に少なくとも２個以上、例えば３個の凹凸３３が形成されている。これらの凹凸は図の点線で示す楕円３４内に設けられている。このような形状の溝を有する羽根車３１により、溝３２内での媒体の把持力が樹脂材の羽根車でも安定し、媒体が反転集積動作時に抜け落ちることがない。
【００１９】
さらに羽根車３１の溝３２−２で示すように、極部的な波形の凹凸形状の中心線上３５で、溝形状の内外凹凸の頂点が一致するか、わずかにオーバラップした形状であることにより、樹脂材料での低摩擦係数材でも媒体そのものを把持力を維持する事ができる。すなわち、図８に示すように、羽根車３１の任意の溝３２−２の中心線３５に対して、溝の外側の頂点３３−１および内側の頂点３３−２がそれぞれ中心線３５上に存在している。なお、図示はしていないが、これらの頂点３３−１および３３−２は、それぞれ中心線３５をわずかに超えて突出してもよい。いずれの場合においても、溝３２の幅は凹凸３３が形成されている部分も含めてほぼ一定である。
【００２０】
図９は、集積用羽根車での媒体を反転させたときの理想の軌跡を示す概略図である。また、図１０は、本発明の羽根車において搬送方向長さが短い媒体を反転集積したときの媒体の軌跡を示す概略図である。なお、図９、図１０において、図５と同一部分には同一符号を付して示し、詳細な説明は省略した。
【００２１】
このように、均一な間隔で極部的に形成した波形の凹凸３３は、溝部分への媒体進入領域の前半から中盤にかけて形成され複数個の配置をすることにより、搬送長さの短い小型帳票でも把持力を特に維持できる。
【００２２】
以上説明した本発明の実施形態においては、羽根車の溝の形状として、均一な間隔で極部的な波形の凹凸形状を有するものとして説明したが、不均一な間隔であったり、異形の凹凸であってもよい。また、媒体の厚さに左右されずに媒体そのものを挟み込む事が可能な部分として、媒体が比較的薄いものは、挟み込む頂点部分や挟み込む部分が羽根車溝内部にある事。また、媒体が比較的厚さがあるものは、溝の内部曲線内を更に湾曲しながらも挟み込まれながら進入し、その把持部分が複数個以上あることが重要である。
【図面の簡単な説明】
【００２３】
【図１】従来の帳票移動式ＯＣＲ装置の概観図である。
【図２】従来の帳票移動式ＯＣＲ装置における媒体の流れを示す概略図である。
【図３】従来の帳票移動式ＯＣＲ装置におけるポケットの構成図である。
【図４】従来の帳票移動式ＯＣＲ装置に用いられる集積用羽根車の形状を示す平面図である。
【図５】従来の集積用羽根車での媒体を反転させたときの理想の軌跡を示す概略図である。
【図６】従来の集積用羽根車での短い媒体を反転させたときの軌跡を示す概略図である。
【図７】本発明の集積用羽根車の形状を示す平面図である。
【図８】本発明の集積用羽根車での媒体を反転させたときの理想の軌跡を示す概略図である。
【図９】本発明の集積用羽根車での短い媒体を反転させたときの軌跡を示す概略図である。
【図１０】本発明の集積用羽根車の溝形状を示す拡大平面図である。
【符号の説明】
【００２４】
1  トップカバー
2  トップ開閉レバー
３  操作パネル
４  電源スイッチ
５  アシストローラ
６  帳票ガイド
７  ホッパサブテーブル
８  ホッパ
９  ナンバリングカバー
１０  スタッカ
１１  スタッカランプ
１２  シートサポート
１３  シートストッパ
１４  スタッカカバー
１５  主電源スイッチカバー
１６  サイドカバー
１７  排出ローラ
１８  吸着ファンと搬送ベルト
１９  羽根車
１９ａ  溝
２０  分岐ゲート
２１  ポケット
２２  抜き取り板
２３  媒体
３１  
３２、３２−１、３２−２  溝
３３  凹凸
３４  楕円
３５  中心線
【図１】
2010155707.tif 000003
【図２】
2010155707.tif 000004
【図３】
2010155707.tif 000005
【図４】
2010155707.tif 000006
【図５】
2010155707.tif 000007
【図６】
2010155707.tif 000008
【図７】
2010155707.tif 000009
【図８】
2010155707.tif 000010
【図９】
2010155707.tif 000011
【図１０】
2010155707.tif 000012